(57)【要約】【課題】  ２種類の液体を混合することにより発光が行われる化学発光体において、振るなどの動作で確実に発光を行わせることができるようにすること。【解決手段】  密閉された複数の空間２１，２２を有し、これら空間２１，２２のうち一部の空間２１からその他の空間２２に向けて中空の導管部２３が延設され、該導管部２３の先端が閉塞されるとともに、該導管部２３の一部には、当該導管部２３内に収納された破壊手段２５により破壊される被破壊部２６が形成され、該被破壊部２６の破壊によって一部の空間２１とその他の空間２２とが連通したときに、上記一部の空間２１内に収容された発光用の液体Ａが上記導管部２３を通過して、上記その他の空間２２内で発光用の液体Ｂと混ざり合って発光が行われるように構成された化学発光器１１。【選択図】    図２
2007018976.tif 000002
【特許請求の範囲】
【請求項１】
複数種類の液体を混合することにより発光が行われる化学発光器であって、
密閉された複数の空間を有し、
これら空間のうち一部の空間からその他の空間に向けて中空の導管部が延設され、
該導管部の先端が閉塞されるとともに、該導管部の一部には、当該導管部内に収納された破壊手段により破壊される被破壊部が形成され、
該被破壊部の破壊によって一部の空間とその他の空間とが連通したときに、上記一部の空間内に収容された発光用の液体が上記導管部を通過するように構成された
化学発光器。
【請求項２】
前記導管部が、鉛直上向きに形成されるとともに、該導管部の基部には、前記発光用の液体の通過を許容し上記破壊手段の通過を阻止する選択通過部が形成された
請求項１に記載の化学発光器。
【請求項３】
前記導管部がガラス製であり、前記被破壊部がその他の部位よりも肉厚の薄い薄肉部である
請求項１または請求項２に記載の化学発光器。
【請求項４】
前記導管部を有する一部の空間の内部圧力が、導管部が向かうその他の空間の内部圧力よりも高く設定された
請求項１から請求項３のうちのいずれか一項に記載の化学発光器。
【発明の詳細な説明】
【技術分野】
【０００１】
この発明は、各種パーティー、特にウエディングセレモニーなどで使用するのに好適な化学発光器に関する。
【背景技術】
【０００２】
化学発光器としては、２種類の液体を混合することで発光するものが知られている。これを用いたものとしては、たとえば下記特許文献１に開示されたものがある。
【０００３】
特許文献１は、棒状体の一端側に化学発光体が具備されてなる装飾発光具に関するもので、その化学発光体は、円筒状の透光性プラスチック容器の内部に、発光用の液体の一方とともに、発光用の液体の他方が充填されたガラスアンプルが収納された構成である。すなわち、その化学発光体は、プラスチック容器を折り曲げて内部のガラスアンプルを割ることによって、それぞれの液体が混合して発光が行われるというものである。
【０００４】
しかし、このように化学発光体を折り曲げて発光させるのでは、そのものを掴んで折り曲げるという装飾発光具として不自然な動作が必要で、発光の契機としては面白みがない。また、プラスチック容器は折り曲げ可能な柔らかい材料でなければならず、外観、質感等が限定されてしまい、この点からも面白みがないという難点がある。
【０００５】
一方、振るという違和感の少ないより自然な動作で衝撃を加えて発光を行わせようとするものもある（下記特許文献２の図８参照）。
【０００６】
これは、発光用の一方の液体を収容した外側容器内に、発光用の他方の液体を充填した隔室とともに、錘りが吊り下げられた構成である。つまり、振る動作によって錘りが揺れて隔室にあたり、その衝撃で隔室の内部が開放され、２種類の液体が混ざり合って発光するというものである。
【０００７】
しかし、この構成では、衝撃を加える部材である錘りが、液体内に存在する。このため、錘りは液体の中で動くので、振る動作により錘りにかかるべき力の一部が液体に吸収されてしまう。このため、充分な衝撃を加えにくく、確実に発光を行わせることが難しいという問題がある。
【０００８】
【特許文献１】特開平１０−２７６８４３号公報
【特許文献２】実公平５−２０２２１号公報
【発明の開示】
【発明が解決しようとする課題】
【０００９】
そこで、この発明は、より自然な動作で確実に発光を行わせることができるようにすることを主たる課題とする。
【課題を解決するための手段】
【００１０】
そのための手段は、複数種類の液体を混合することにより発光が行われる化学発光器であって、密閉された複数の空間を有し、これら空間のうち一部の空間からその他の空間に向けて中空の導管部が延設され、該導管部の先端が閉塞されるとともに、該導管部の一部には、当該導管部内に収納された破壊手段により破壊される被破壊部が形成され、該被破壊部の破壊によって一部の空間とその他の空間とが連通したときに、上記一部の空間内に収容された発光用の液体が上記導管部を通過するように構成された化学発光器である。
【００１１】
すなわち、化学発光器を振ったり逆さにしたりして、破壊手段を導管部内で変位させ被破壊部を破壊すれば、一部の空間とその他の空間とは連通状態になる。この連通状態になったときに導管内を液体が通過するので、破壊前の段階では導管部内に液体が存在しない無液体状態である。このため、被破壊部を破壊する時の破壊手段の変位は化学発光器を振ったりする動作に即応し、充分な加速度を付与でき、確実な破壊が可能な衝撃力を得られる。なお、上記無液状態は、導管部内に液体が全く存在しないことのみを指すのではなく、破壊手段の変位を阻害しない程度であれば存在していてもよいことを意味している。
【００１２】
そして、空間が連通した状態になると、上述のように一部の空間内に収容された発光用の液体はその他の空間に移動し、液体は混ざり合い、混ざり合った部分において発光が行われる。
【００１３】
なお、２種類の液体の混合で発光が行われる場合、化学発光器は、たとえば、上記空間が２つ形成され、これらの空間にそれぞれ発光用の液体が収容されて、一方の空間で発光が起こるものであるもよく、また、上記空間が３つ形成され、これら空間のうち２つの空間にそれぞれ発光用の液体が収容されて、残る１つの空間で発光が起こるものであるもよい。
【００１４】
また、導管部への入口部分（基部）には、被破壊部の破壊によって一部の空間とその他の空間とが連通するまで、上記一部の空間内に収容された発光用の液体が導管部を通過することを積極的に抑制する通過抑制手段が設けられるもよい。通過抑制手段としては、たとえば、破壊手段の変位に伴って離脱する適宜の仕切り部材や、開口面積の小さい孔、開口面積を小さくする突起、液体に触れることで破れやすくなる紙片など適宜の手段で構成できる。
【００１５】
ところで、上記各構成要素については、たとえば次のような態様に構成することもできる。  
その態様の一つは、上記導管部が、鉛直上向きに形成されるとともに、該導管部の基部には、前記発光用の液体の通過を許容し上記破壊手段の通過を阻止する選択通過部が形成されたものである。  
すなわち、導管部が上方に向いているので、常態においては液体が導管部内に決して浸入することはなく、衝撃体の移動が空気中において行われるよう、導管部内を無液体状態に保つことができる。しかも、選択通過部は、たとえば一部を小径にするくびれ部など、簡素に構成することができる。
【００１６】
好ましくは、導管部の先端が、その他の空間内に収容した液体の液位よりも上に突出するものであるとよい。
【００１７】
態様の他の一つは、上記導管部がガラス製であり、上記被破壊部がその他の部位よりも肉厚の薄い薄肉部である。  
すなわち、一定の衝撃で割れるような設定が可能で、品質の安定した製品を得ることができる。特に、破壊手段が遊びを有している場合であって、その遊び（余裕、ゆとり）内での破壊手段の変位方向と、割る際の破壊手段の変位方向とを異にすると、輸送等の取り扱い時に破壊手段が被破壊部を不測に破壊してしまうおそれはなく、商品価値を失わせるような事態を回避できる。
【００１８】
態様の他の１つは、上記導管部を有する一部の空間の内部圧力が、導管部が向かうその他の空間の内部圧力よりも高く設定されたものである。  
すなわち、空間内の圧力差があると、導管部の被破壊部が破壊されて連通したときに、重力のほかに圧力差も作用して、速やかに液体の混合がなされる。このため、被破壊部の破壊後に、液体を混ぜるための動作を行う必要はなく、簡易迅速な発光を実現できる。また、導管部への入口部分（基部）の大きさをより小さくしても、液体の混合を可能にすることができ、発光させる前に導管部内へ液体が不測に浸入することを完全に阻止することも可能になる。換言すれば、導管部への入口部分の大きさを、重力により液体が浸入するのを阻止可能な大きさに設定することもできる。
【発明の効果】
【００１９】
以上のように、この発明によれば、振るなどといった、違和感の少ないより自然な動作を契機として、発光を行わせることができる。しかも、発光のために連通を行う破壊手段は、液体中ではなく空気中に存在するので、その変位に際しての動作は円滑で、破壊手段に対して充分な加速度を付与することもできる。この結果、より自然な動作で確実に発光させることが可能である。
【発明を実施するための最良の形態】
【００２０】
この発明を実施するための一形態を、以下図面を用いて説明する。  
図１は、化学発光器１１（以下、発光器という）の正面図であり、この例では、パーティー、特にウエディングセレモニーで使用するのに好適な発光器１１を示している。
【００２１】
すなわち、全体として一輪のバラ状の形態であり、棒状の茎部１２の上端に、複数枚の花弁からなる、膨らんだ形状の花部１３が形成されている。その全体は、透明のガラスで形成され、互いに混ざり合うことで発光する別々の液体Ａ，Ｂが上記茎部１２と花部１３とのそれぞれに収容されている。この液体Ａ，Ｂとしては、たとえば一方を蛍光剤とし、他方を酸化剤とする２液タイプのものなど、適宜のものを使用できる。
【００２２】
図２は、発光器１１の部分断面図であり、この図に示すように、発光器１１の内部は、２つの空間２１，２２に区分されている。その一つは、上記茎部１２を形成する細長棒状の第１空間２１であり、他の一つは、それよりも大径で膨らんだ略ワイングラス状の形態を有する第２空間２２である。これら各空間２１，２２を形成する第１空間形成部２１ａと第２空間形成部２２ａとは一体である。
【００２３】
そして、第１空間２１の上端からは、該第１空間２１と連通した状態で上方の第２空間２２内に向けて、先端が閉じられた中空棒状の導管部２３が延設されている。
【００２４】
この導管部２３と第１空間２１とは連通状態であって、第１空間２１から導管部２３への入口部分、すなわち導管部２３の基部には、液体Ａが通過可能な通路を有するが、導管部２３の基部には、通路の径を狭めるくびれ部２４が形成されている。そして、このくびれ部２４よりも上方には、金属やガラス等の適宜材料からなる尖鋭で硬質の棒状をなす衝撃体２５が、導管部２３内で変位（移動）可能に収納されている。この衝撃体２５は、くびれ部２４の通過が不可能な径（太さ）に形成されており、くびれ部２４を通過して第１空間２１内に落下することはない。
【００２５】
なお、上記くびれ部２４の内径の大きさは、発光器１１を逆さにしても液体Ａが導管部２３内に容易に浸入しない大きさであるのが好ましい。
【００２６】
また、導管部２３の先端部（上端部）は、略半球状をなし、導管部の他の部位よりも肉厚の薄い薄肉部２６が形成されている。この薄肉部２６は、発光器１１を逆さにして振ったときに、衝撃体２５が衝突して、その時の衝撃により破壊される脆弱さを有するものである。
【００２７】
このような導管部２３を介して区分される第１空間２１と第２空間２２には、上述の如く液体Ａ，Ｂがそれぞれ収容されるが、いずれの空間２１，２２でも、液体Ａ，Ｂはその空間２１，２２内全体に充填するのではなく、空気の存在する余地を残している。特に、第２空間２２内に収容される液体Ｂの液位は、図示したごとく、導管部２３の先端位置よりも下に設定されている。つまり、導管部２３の先端が液体Ｂの液位よりも上に突出するように設定している。このように設定することで、第２空間２２内の液体Ｂが第１空間２１内に流入するのを防止している。
【００２８】
なお、上記導管部２３の上端位置、つまり導管部２３の長さは、第２空間２２の上下方向の中間位置よりも上に設定される。
【００２９】
また、液体Ｂが収容された各空間２１，２２は、その内部圧力が、第２空間２２の内部圧力の方が第１空間２１のそれよりも低くなるように適宜設定されている。
【００３０】
このような構成を有する発光器１１は、次のように使用される。  
すなわち、発光器１１を発光させるには、図３に示したように発光器１１を逆さにしながら強く振り降りしたり、逆さにしてから上に振り上げ、振り下ろしたりして、衝撃体２５を薄肉部２６に衝突させる。すると、その時の衝撃により、図４に示したように薄肉部２６は破壊され、第１空間２１と第２空間２２は連通する。連通状態になると、第１空間２１内の液体Ａは重力と圧力差により第２空間２２内に流入し、第２空間２２内に収容された液体Ｂと混ざり合う。これにより図５に示した如く、第２空間内の液体部分、すなわち花部１３の中間部分より下側の部分が発光する。
【００３１】
このようにして発光が行われるので、ウエディングセレモニーでは、たとえば、キャンドルサービスの代わりに使用することができる。つまり、新郎新婦またはその付き添い人が発光器１１を持って入場し、各ゲストテーブルにおいて上記発光のための動作をして、発光した発光器１１の茎部１２をゲストテーブル上の装飾花の脇に差して添える。
【００３２】
そのほかには、たとえば、適宜本数の発光器１１をゲストテーブルに装飾花と一緒、または別に飾っておき、ゲストに発光動作を行ってもらい発光器１１を発光する。この発光は、司会者の合図に合せて一斉に行うなど適宜の演出に基づいて行われる。そして、発光器１１の光を、祝福の光に見立てて、その中を、新郎新婦に入場してもらう。
【００３３】
また、パーティーの始まる前にあらかじめ光らせて、テーブルに置いたり、新婦のブーケや新郎のブートニアに添えたりすることもできる。
【００３４】
以上のように、一輪の花をかたどった発光器１１は、振るだけという簡単で違和感のない自然な動作によって発光させることができる。しかも、発光のために空間２１，２２同士の連通を行う衝撃体２５の動作は、液体が存在しない導管部２３内で行われるので、発光器１１を振る動作に即応して衝撃体２５は移動し、充分な加速度をもって薄肉部２６に衝突させることができる。このため、より自然な動作で確実な破壊を実現できる。
【００３５】
しかも、導管部２３が上方に向いているので、真っ直ぐに立てた常態においては決して第１空間２１内の液体Ａが導管部２３内に浸入することはなく、衝撃体２５の移動が空気中において行われるように保つことができる。しかも、この場合において、第１空間２１から導管部２３への入口部分は、上述のようなくびれ部２４で構成でき、簡素でコストの掛からない構成とすることができる。
【００３６】
また、導管部２３の先端は、液体Ｂの液位より上に突出しているので、発光する部分を花部１３のみに設定することができる。従来は、一方の液体内に他方の液体を充填したものを収容してそれを破壊可能にしたものであった。換言すれば一方の液体が他方の液体を包含するような配置構成であったので、発光は全体的に行われてしまっていた。これに対してこの発明では、所望する一部分のみを発光させることができる。つまり、導管部２３を設けて、花部１３のみで発光が起こるように構成したので、一輪の花をかたどった発光器１１の形状が醸し出す効果と相俟って斬新な装飾効果を得ることができ、その効果はきわめて高いものとなる。
【００３７】
さらに、導管部２３がガラス製であり、破壊される部分がその他の部位よりも肉厚の薄い薄肉部２６であるので、一定の衝撃で割れるような設定が可能で、品質の安定した製品を得ることができる。
【００３８】
さらにまた、第２空間２２内の圧力が第１空間２１内の圧力よりも低くなるように設定されているので、導管部２３の先端部が破壊されて連通したときに、重力のほか圧力差も作用して、速やかに液体Ａ，Ｂの混合がなされる。このため、薄肉部２６の破壊後に、液体Ａ，Ｂを混ぜるための動作を行う必要はなく、簡易迅速な発光を実現できる。
【００３９】
しかも、発光器１１が上述のように一輪の花をかたどった形状で、発光動作に際しては茎部１２を手で握るように形成されている。また、衝撃体２５は、茎部１２側から花部１３側へ変位するように設定されている。このため、手に持った時の体温で茎部１２内の空気が温まって膨張するため、上記のような内部圧力の差と相俟って、薄肉部２６の破壊が行いやすい。
【００４０】
以下、その他の形態について説明する。なお、上記構成と同一又は同等の部位については、それと同一の符号を付してその詳しい説明を省略する。  
図６は、薄肉部２６を破壊した衝撃体２５が導管部２３から出ないで、導管部２３内に収まるように構成した例を示す断面図である。つまり、この図に示すように、導管部２３の先端から天井面２２ｂまでの長さＬ１よりも、衝撃体２５の長さＬ２の方を長く設定している。このように構成すると、衝撃体２５は発光後も導管部２３内に収まっているので、衝撃体２５は外から見えにくく、外観を損なうおそれをなくすことができる。
【００４１】
図７、図８は、衝撃体２５が金属製やガラス製の球体からなる例を示す断面図であり、図７の例では衝撃体が１つ収納され、図８の例では衝撃体２５が複数収納されている。後者の場合には、発光したときに複数の衝撃体２５が発光部分に広がるので、美麗な外観を得ることができる。特に衝撃体２５を色ガラスなどで構成した場合には格別である。球体に代えて、砂、石などの鉱物質のものを使用することもできる。
【００４２】
図９は、手に持つ部分である茎部１２を被覆材３１で被覆した例を示す一部断面正面図である。すなわち、茎部１２に対して、紙、樹脂、ゴム等の適宜の材料かなる被覆材３１を被覆して、持ちやすさの向上、滑り止め、隠蔽、化粧・装飾などの適宜の効果を図っている。茎部１２の内部が外から見えないようにした場合には、発光を予想させる一方の液体Ａが隠蔽されるので、発光に意外性が生まれる。
【００４３】
図１０から図１４は、発光器１１の形状についての他の例を示している。  
すなわち、図１０は、テーブル等に直接置けるように、下端部に台座３２を有しており、第１空間２１は、第２空間２２が略卵形であるのに調和させるべく、扁平な立体形状に形成されている。
【００４４】
図１１は、台座を介さずに直接テーブル等におけるようにすべく第１空間２１がブロック状に形成された例を示している。
【００４５】
図１２は、全体として正面視縦長長方形に形成されて、第１空間２１と第２空間２２との別が外観からは判断し難い構成にした例である。
【００４６】
図１３は、上端部に位置する第２空間２２を形作る第２空間形成部２２ａが猫の頭部をかたどった形状である例で、図１４は、それがハート型をなす例である。
【００４７】
このように、各空間２１，２２は、球形、楕円形、円錐形、矩形、様々な象形形状など、適宜の形状に形成することができる。
【００４８】
図１５は、第１空間２１，２１を２個有し、第２空間２２を１個有した形態を示す例である。すなわち、２個の第１空間２１，２１にそれぞれ別の液体Ａ，Ｂを収容し、これらの第１空間２１，２１から上端の第２空間２２に向けてそれぞれ導管部２３，２３が延設されている。そして、第２空間２２には、発光用の液体は収容されていない。
【００４９】
このように構成された発光器１１では、各第１空間２１，２１内の液体Ａ，Ｂが第２空間２２に移動して混ざり合って、第２空間２２内で発光する。
【００５０】
この発明の構成と、上記一形態の構成との対応において、  
この発明の一部の空間は、上記第１空間２１に対応し、  
以下同様に、  
その他の空間は、上記第２空間２２に対応し、  
破壊手段は、衝撃体２５に対応し、  
被破壊部は、上記薄肉部２６に対応し、  
選択通過部は、くびれ部２４に対応するも、  
この発明は、上記構成のみに限定されるものではなく、その他にも様々な形態を採用することができる。
【００５１】
たとえば、全体を無色透明のガラスで構成するのではなく、導管部２３のみなど、適宜の部位を有色透明のガラスで構成するもよく、ガラス以外の適宜の材料、たとえば合成樹脂等で構成されるものであるもよい。
【００５２】
また、破壊手段は、導管部と一体的に構成され、揺れたりすることで破壊が行われるものであるもよい。
【００５３】
さらに、発光器１１には、リボンなどの適宜の装飾部材を貼着等の適宜手段により取付けることもできる。  
さらにまた、発光用の液体は、２液によるもの以外であってもよい。
【図面の簡単な説明】
【００５４】
【図１】化学発光体の正面図。
【図２】化学発光体の断面図。
【図３】作用状態の断面図。
【図４】作用状態の断面図。
【図５】作用状態の正面図。
【図６】他の例に係る化学発光体の要部断面図。
【図７】他の例に係る化学発光体の要部断面図。
【図８】他の例に係る化学発光体の要部断面図。
【図９】他の例に係る化学発光体の一部断面正面図。
【図１０】他の例に係る化学発光体の断面図。
【図１１】他の例に係る化学発光体の断面図。
【図１２】他の例に係る化学発光体の断面図。
【図１３】他の例に係る化学発光体の断面図。
【図１４】他の例に係る化学発光体の断面図。
【図１５】他の例に係る化学発光体の断面図。
【符号の説明】
【００５５】
１１…化学発光器
２１…第１空間
２２…第２空間
２３…導管部
２４…くびれ部
２５…衝撃体
２６…薄肉部
Ａ，Ｂ…液体
【図１】
2007018976.tif 000003
【図２】
2007018976.tif 000004
【図３】
2007018976.tif 000005
【図４】
2007018976.tif 000006
【図５】
2007018976.tif 000007
【図６】
2007018976.tif 000008
【図７】
2007018976.tif 000009
【図８】
2007018976.tif 000010
【図９】
2007018976.tif 000011
【図１０】
2007018976.tif 000012
【図１１】
2007018976.tif 000013
【図１２】
2007018976.tif 000014
【図１３】
2007018976.tif 000015
【図１４】
2007018976.tif 000016
【図１５】
2007018976.tif 000017